(57)【要約】【課題】布団を乾燥させたり、押入れ内を除湿したりするための作業を簡素化する。【解決手段】加熱装置及び送風装置を備え、温風を発生させ、押入れ内１０に吹き出す温風発生源と、押入れ１０の縁に接触させて取り付けられ、押入れ１０外の空気を取り入れて前記温風発生源に供給するための穴、及び押入れ１０内の空気を排出するための穴が形成された穴開き桟（さん）４５とを有する。この場合、布団を押入れ１０内に収容し、温風発生源を駆動するだけで、布団を乾燥させることができるので、作業を簡素化することができる。【選択図】図１
2005105593.tif 000002
【特許請求の範囲】
【請求項１】
（ａ）加熱装置及び送風装置を備え、温風を発生させ、押入れ内に吹き出す温風発生源と、
（ｂ）押入れの縁に接触させて取り付けられ、押入れ外の空気を取り入れて前記温風発生源に供給するための穴、及び押入れ内の空気を排出するための穴が形成された穴開き桟とを有することを特徴とする押入乾燥装置。
【発明の詳細な説明】
【技術分野】
【０００１】
本発明は、押入乾燥装置に関するものである。
【背景技術】
【０００２】
従来、敷布団、掛布団等の布団の湿気を取るため、布団を、陽に当てて乾燥させたり、布団乾燥器を使用して乾燥させたりするようにしている（例えば、特許文献１参照。）。また、例えば、布団を押入れに収納する場合、該押入れ内は季節、昼夜等の気温の変化によって結露が発生することが多く、極めて湿気を帯びやすく、カビが発生しやすいので、押入れ内に除湿材をセットし、押入れ内を除湿するようにしている。
【特許文献１】特開２００２−３５４８９号公報
【発明の開示】
【発明が解決しようとする課題】
【０００３】
しかしながら、前記従来の布団の乾燥方法においては、布団を陽に当てて乾燥させる場合、布団を、例えば、窓、ベランダ、物干し等まで運び、窓、ベランダ、物干し等に掛ける必要があり、更に、必要に応じて、一様に陽に当てるために掛け変える必要もあり、作業が煩わしい。
【０００４】
また、布団乾燥器を使用して布団を乾燥させる場合、布団を床上に広げ、布団間に乾燥マットを挟んだり、乾燥マットに温風吹出し用のホースを挿入したりする必要があるだけでなく、布団乾燥器を使用している間、床上を利用することができないので、操作性が低い。
【０００５】
そして、押入れ内に除湿材をセットしても、押入れ内を十分に除湿することができず、しかも、除湿材を頻繁に取り替える必要があり、作業が煩わしい。
【０００６】
本発明は、前記従来の布団の乾燥方法及び押入れの除湿方法の問題点を解決して、布団を乾燥させたり、押入れ内を除湿したりするための作業を簡素化することができ、操作性を向上させることができる押入乾燥装置を提供することを目的とする。
【課題を解決するための手段】
【０００７】
そのために、本発明の押入乾燥装置においては、加熱装置及び送風装置を備え、温風を発生させ、押入れ内に吹き出す温風発生源と、押入れの縁に接触させて取り付けられ、押入れ外の空気を取り入れて前記温風発生源に供給するための穴、及び押入れ内の空気を排出するための穴が形成された穴開き桟（さん）とを有する。
【発明の効果】
【０００８】
本発明によれば、押入乾燥装置においては、加熱装置及び送風装置を備え、温風を発生させ、押入れ内に吹き出す温風発生源と、押入れの縁に接触させて取り付けられ、押入れ外の空気を取り入れて前記温風発生源に供給するための穴、及び押入れ内の空気を排出するための穴が形成された穴開き桟とを有する。
【０００９】
この場合、布団を押入れ内に収容し、温風発生源を駆動するだけで、布団を乾燥させることができるので、布団を、例えば、窓、ベランダ、物干し等まで運んで、窓、ベランダ、物干し等に掛けたり、一様に陽に当てるために掛け変えたりする必要がなく、布団を乾燥させるための作業を簡素化することができる。
【００１０】
また、布団乾燥器を使用する必要がないだけでなく、押入乾燥装置を使用している間、床上を利用することができるので、操作性を向上させることができる。
【００１１】
そして、押入れ内を十分に除湿することができ、しかも、除湿材を使用する必要がなく、押入れ内を除湿するための作業を簡素化することができる。
【００１２】
また、襖（ふすま）を閉じ、押入れを密閉した状態で押入乾燥装置を使用することができるので、布団を乾燥させている間に、押入れ内に常温の空気が進入することがない。したがって、乾燥効率を向上させることができる。
【００１３】
さらに、襖を閉めた状態で、前記各穴を介して押入れ外の空気を取り入れたり、押入れ内の空気を排出したりすることができるので、日本風の室内の雰囲気を損なうことがない。
【発明を実施するための最良の形態】
【００１４】
以下、本発明の実施の形態について図面を参照しながら詳細に説明する。
【００１５】
図１は本発明の実施の形態における押入乾燥装置の据付状態を示す斜視図、図２は本発明の実施の形態における押入乾燥装置の据付状態を示す断面図である。
【００１６】
図において、１０は押入れ、１１は敷居、１２は鴨居、１３は押入れ１０の縁を構成する柱、１４は前記敷居１１と鴨居１２との間の高さ方向におけるほぼ中間に配設された中棚であり、前記押入れ１０は、前記中棚１４によって第１、第２の収容部としての上収容室１６及び下収容室１７に区画される。前記中棚１４には、所定の箇所、本実施の形態においては、後端（図２において右端）の近傍に所定のピッチで、上収容室１６と下収容室１７とを連通させる複数の連通孔１５が形成される。なお、１８は床、１９は奥壁、２０は側壁、２４は天井壁である。
【００１７】
前記敷居１１と鴨居１２との間に図示されない襖が開閉自在に配設され、敷居１１及び鴨居１２にそれぞれ形成された２本の溝２１、２２に沿って襖を摺（しゅう）動させることができるようになっている。
【００１８】
前記押入れ１０内の所定の箇所、本実施の形態においては、床１８上における左端及び右端のうちの一方、本実施の形態においては、左端に寄せて、温風吹出部としての温風吹出ユニット２３が着脱自在に載置される。該温風吹出ユニット２３は、偏平な形状の筐（きょう）体２５を備え、該筐体２５内に形成された閉鎖空間の所定の箇所に、空気を吸引する送風装置としてのファン２６、吸引された空気を加熱する加熱装置としてのヒータ２７、所定の温度に加熱された空気、すなわち、温風を吐出する吐出ノズル２８等が互いに隣接させて配設される。前記ファン２６、ヒータ２７及び吐出ノズル２８によって温風発生源としての温風発生ユニット３０が構成される。なお、本実施の形態において、温風発生ユニット３０は筐体２５内の閉鎖空間に配設されるが、筐体２５外に別体として配設することもできる。また、本実施の形態においては、送風装置としてファン２６が使用されるようになっているが、ファン２６に代えて空気ポンプを使用することもできる。
【００１９】
そして、前記温風吹出ユニット２３は、床１８上に載置することができるように、また、温風吹出ユニット２３は、温風吹出ユニット２３に十分な量の敷布団、掛布団等の布団６５、６６を載置することができるような寸法に設定される。
【００２０】
前記筐体２５及びファン２６には、室内側に向けて、空気を吸引するための吸引口３１が、吐出ノズル２８には閉鎖空間に温風を排出するための排出口３２が形成される。前記筐体２５は、上面３４に複数の温風吐出孔３５が形成され、該温風吐出孔３５は、閉鎖空間内に吐出された温風を下収容室１７内に吹き出す。
【００２１】
また、押入れ１０の左前端及び右前端のうちの一方、本実施の形態においては、敷居１１の左端から鴨居１２の左前まで、柱１３に沿って、かつ、密着させて、縦方向に給排装置としての穴開き桟４５が着脱自在に取り付けられる。該穴開き桟４５は、断面が「コ」字状の形状を有し、室内に向けて形成された前壁４６、柱１３に密着させて形成された左の側壁４７ａ、襖と対向させて形成された右の側壁４７ｂ、敷居１１と係合自在に形成された下端壁４８、及び鴨居１２と係合自在に形成された上端壁４９を備える。
【００２２】
前記下端壁４８の下面には、前記穴開き桟４５を押入れ１０に取り付けるために、前記敷居１１の溝２１、２２と対応させて突起６１、６２が形成され、該突起６１、６２と溝２１、２２とが互いに係合させられる。また、前記上端壁４９には、固定ねじ６３が螺（ら）合させられ、該固定ねじ６３を回転させることによって、固定ねじ６３の上端を鴨居１２と係合させることができる。したがって、突起６１、６２と溝２１、２２とを互いに係合させた状態で、前記穴開き桟４５を柱１３に寄せて配設し、固定ねじ６３を回転させることによって、穴開き桟４５を敷居１１及び鴨居１２に取り付けることができる。このように、穴開き桟４５を柱１３に寄せて取り付けた状態で、襖を穴開き桟４５に当接させて閉じることによって、押入れ１０内を密閉することができる。
【００２３】
ところで、前記穴開き桟４５においては、押入れ１０の襖を閉じた状態で、室内の空気を温風発生ユニット３０に供給したり、押入れ１０内の温風を排出したりすることができるようになっている。そのために、穴開き桟４５の高さ方向における所定の箇所、本実施の形態においては、前記吸引口３１の高さと等しい位置に仕切壁５１が配設され、該仕切壁５１より下方に吸引ダクト部５２が、仕切壁５１より上方に排出ダクト部５３が形成される。
【００２４】
また、前壁４６における仕切壁５１より下方の部分に、室内の空気を温風発生ユニット３０に供給するための複数の第１の穴としての空気取入口５４が、前記前壁４６における仕切壁５１より上方の部分に、押入れ１０内の温風を室内に排出するための複数の第２の穴としての温風排出口５５が形成される。なお、該温風排出口５５は、仕切壁５１の上側の近傍、中棚１４の近傍、鴨居１２の下側の近傍に形成されるが、穴開き桟４５の高さ方向の全体に形成したり、中棚１４の下側の近傍、及び鴨居１２の下側の近傍だけに形成することもできる。その場合、上収容室１６及び下収容室１７の上端部分の温風を効果的に室内に排出することができるので、上収容室１６及び下収容室１７内における温風を円滑に循環させることができる。また、前記中棚１４上に温風吹出ユニット２３を載置することもできる。その場合、前記前壁４６における中棚１４より上側の近傍の温風排出口５５を、空気取入口として使用することができる。したがって、温風吹出ユニット２３を載置する場所に対応させて、前壁４６に形成された穴を温風排出口５５として使用したり、空気取入口５４として使用したりすることができるので、穴開き桟４５の汎用性を向上させることができる。
【００２５】
前記構成の押入乾燥装置において、布団６５、６６等を畳み、その状態で温風吹出ユニット２３上に載置した後、襖を穴開き桟４５に当接させて閉じ、押入れ１０を密閉した状態で、押入乾燥装置の図示されない電源を投入し、温風発生ユニット３０を駆動すると、ファン２６によって、室内の空気が、空気取入口５４、吸引ダクト部５２及び吸引口３１を介して吸引され、ヒータ２７に向けて排出される。続いて、空気は、ヒータ２７によって所定の温度に加熱され、温風になって、排出口３２から筐体２５内の閉鎖空間に吐出され、温風吐出孔３５を介して下収容室１７内に吹き出される。なお、前記温風を所定の温度にするために、温度検出部としての図示されない温度センサ、ヒータ２７をオン・オフさせるための図示されない制御装置等が配設される。なお、前記筐体２５の上面３４において、温風吐出孔３５を形成する領域の面積は、載置される布団６５、６６の占める面積より小さくするのが好ましい。その場合、温風吐出孔３５から吐出される空気が布団６５、６６の中を専ら通るようにすることができる。
【００２６】
そして、温風吐出孔３５を介して吹き出された温風は、ファン２６の送風圧力によって布団６５、６６内を強制的に通過させられ、それに伴って、布団６５、６６を加熱し、乾燥させる。その後、温風は、下収容室１７内を満たし、床１８、奥壁１９、側壁２０等を加熱し、乾燥させた後、一部は、排出ダクト部５３内に進入し、温風排出口５５から室内に排出される。また、温風の残りは、連通孔１５を介して上収容室１６に進入し、上収容室１６内において奥壁１９、側壁２０、天井壁２４等を加熱し、乾燥させた後、排出ダクト部５３内に進入し、温風排出口５５から室内に排出される。なお、中棚１４上に布団が収容されている場合には、前記連通孔１５から上収容室１６内に進入した温風によって、布団が加熱され、乾燥させられる。
【００２７】
なお、前記制御装置は、あらかじめ設定された時間だけ温風発生ユニット３０を駆動すると、ヒータ２７の駆動を停止させ、その後、ファン２６だけを所定の時間作動させる。それに伴って、ファン２６によって、室内の空気が、空気取入口５４、吸引ダクト部５２及び吸引口３１を介して吸引され、ヒータ２７に向けて排出される。このとき、ヒータ２７は停止させられているので、空気は、常温のまま、排出口３２から筐体２５内の閉鎖空間に吐出され、温風吐出孔３５を介して下収容室１７内に吹き出される。
【００２８】
そして、温風吐出孔３５を介して吹き出された温風は、ファン２６の送風圧力によって布団６５、６６内を強制的に通過させられ、それに伴って、布団６５、６６を冷却する。その後、空気は、下収容室１７内を満たし、床１８、奥壁１９、側壁２０等を冷却した後、一部は、排出ダクト部５３内に進入し、温風排出口５５から室内に排出される。また、空気の残りは、連通孔１５を介して上収容室１６に進入し、上収容室１６内において奥壁１９、側壁２０、天井壁２４等を冷却した後、排出ダクト部５３内に進入し、温風排出口５５から室内に排出される。
【００２９】
このように、布団６５、６６を押入れ１０内に収容し、温風発生ユニット３０を駆動するだけで、布団６５、６６を乾燥させることができるので、布団６５、６６を、例えば、窓、ベランダ、物干し等まで運んで、窓、ベランダ、物干し等に掛けたり、一様に陽に当てるために掛け変えたりする必要がなく、布団６５、６６を乾燥させるための作業を簡素化することができる。
【００３０】
また、布団乾燥器を使用する必要がないだけでなく、押入乾燥装置を使用している間、床上を利用することができるので、操作性を向上させることができる。
【００３１】
そして、押入れ１０内を十分に除湿することができ、しかも、除湿材を使用する必要がなく、押入れ１０内を除湿するための作業を簡素化することができる。
【００３２】
また、襖を閉じ、押入れ１０を密閉した状態で押入乾燥装置を使用することができるので、布団６５、６６を加熱し、乾燥させている間に、押入れ１０の上収容室１６及び下収容室１７内に常温の空気が進入することがない。したがって、乾燥効率を向上させることができる。
【００３３】
さらに、襖を閉めた状態で、前記各空気取入口５４を介して押入れ１０外の空気を取り入れたり、前記各温風排出口５５を介して押入れ１０内の空気を排出したりすることができるので、日本風の室内の雰囲気を損なうことがない。
【００３４】
本実施の形態において、温風発生ユニット３０は、ファン２６及びヒータ２７を備えるようになっているが、ファン２６が備えるモータの発熱を利用して温風を発生させることができる。その場合、モータによって加熱装置が構成されるので、ヒータ２７を配設する必要がなくなる。
【００３５】
なお、本発明は前記実施の形態に限定されるものではなく、本発明の趣旨に基づいて種々変形させることが可能であり、それらを本発明の範囲から排除するものではない。
【図面の簡単な説明】
【００３６】
【図１】本発明の実施の形態における押入乾燥装置の据付状態を示す斜視図である。
【図２】本発明の実施の形態における押入乾燥装置の据付状態を示す断面図である。
【符号の説明】
【００３７】
１０    押入れ
１３    柱
２６    ファン
２７    ヒータ
３０    温風発生ユニット
４５    穴開き桟
５４    空気取入口
５５    温風排出口
【図１】
2005105593.tif 000003
【図２】
2005105593.tif 000004